(57)【特許請求の範囲】
【請求項１】
記録装置本体側の電装系と、搭載した記録ヘッドを記録媒体搬送方向に対し交差する方向に搬送するキャリッジ上の電装系とを電気的に接続する記録装置の電気的キャリッジ接続手段であって、
前記電気的キャリッジ接続手段は、記録装置本体側の電装系とキャリッジ上の電装系とを電気的に接続するフレキシブルケーブルと、該フレキシブルケーブルの表面に沿って配設され該フレキシブルケーブルと共に屈曲し該フレキシブルケーブルの張りを補助するように形成されたフレキシブルフラットケーブルカバーの形態の補強フイルムとで構成され、該補強フイルムはフレキシブルケーブルの長手方向に幅が変化しており、最小屈曲半径部の幅はその他の部分の幅よりも狭いことを特徴とする電気的キャリッジ接続手段。
【請求項２】
前記最小屈曲半径部の幅とその他の部分の幅の間が連続的に変化している請求項１に記載の電気的キャリッジ接続手段。
【請求項３】
前記補強フイルムの長手方向の幅の変化が、最小屈曲半径部においてフレキシブルケーブルの幅よりも狭く、かつその他の部分の幅がフレキシブルケーブルの幅よりも広く、両部分の間が連続的に変化している請求項１に記載の電気的キャリッジ接続手段。
【請求項４】
電源断状態のキャリッジ位置における前記補強フイルムの最小屈曲半径部の幅を狭くした請求項２または請求項３に記載の電気的キャリッジ接続手段。
【請求項５】
記録スタンバイ状態のキャリッジ位置における前記補強フイルムの最小屈曲半径部の幅を狭くした請求項２または請求項３に記載の電気的キャリッジ接続手段。
【請求項６】
記録ヘッド交換およびインクタンク交換位置のいずれかのキャリッジ位置における前記補強フイルムの最小屈曲半径部の幅を狭くした請求項２または請求項３に記載の電気的キャリッジ接続手段。
【請求項７】
前記記録装置本体側に突起が設けられ、前記補強フイルムには前記キャリッジが移動時に前記突起と係合して該フイルムの該キャリッジ進行方向前方の屈曲部の曲がりを防ぎ、前記キャリッジが更に移動して該屈曲部を通過した後に前記突起から離脱する係合部が設けられている請求項１から請求項６のいずれか１項に記載の電気的キャリッジ接続手段。
【請求項８】
前記補強フイルムが単層で構成され、材質がポリイミドやＰＢＴを含む難燃性材料である請求項１から請求項６のいずれか１項に記載の電気的キャリッジ接続手段。
【請求項９】
請求項１から請求項８のいずれか１項に記載の電気的キャリッジ接続手段を備えたことを特徴とする記録装置。
【請求項１０】
記録媒体に対する記録方法がインクジェット方式である請求項９に記載の記録装置。
【発明の詳細な説明】
【０００１】
【発明の属する技術分野】
本発明は、記録媒体に文字や画像を形成する記録装置に関し、特に記録装置本体側の電装系とキャリッジ上の電装系とを、電気的に接続する電気的キャリッジ接続手段および該接続手段を備えた記録装置に関する。
【０００２】
【従来の技術】
一般的に、記録装置は、副走査方向と呼ばれる方向に記録媒体を搬送する。記録ヘッドを搭載したキャリッジを、この副走査方向と垂直な方向である主走査方向と呼ばれる方向に、往路復路に走査させることで全領域に記録が行われる。記録装置の記録ヘッドを走査させるためのキャリッジは、記録装置本体側の電装系とキャリッジ上の電装系とを電気的に繋ぐフレキシブルケーブルで電気的に接続される構成となっている。フレキシブルケーブルには、目的に応じて、一般的にフレキシブルフラットケーブル（以下ＦＦＣ）やフレキシブルプリンテッドサーキット（以下ＦＰＣ）が使用される。
【０００３】
図５は従来例の記録装置の全体構成を示す斜視図であり、図６は従来例の記録装置のキャリッジが記録媒体幅分反対の端部に移動した状態を示す部分斜視図であり、図７は従来例の記録装置の記録スタンバイ状態の模式的部分上面図、図８は従来例の記録装置のキャリッジが記録媒体幅分反対の端部に移動した状態を示す模式的部分上面図、図９は従来例の記録装置の記録スタンバイ状態のフレキシブルケーブルの傷のダメージを示す模式的部分上面図、図１０は従来例の記録装置のキャリッジ移動中のフレキシブルケーブルの傷のダメージを示す模式的部分上面図、図１１は従来例の記録装置の補強フイルムを有するフレキシブルケーブルの記録スタンバイ状態を示す模式的部分上面図、図１２は従来例の記録装置の補強フイルムを有するフレキシブルケーブルのキャリッジ移動中の状態を示す模式的部分上面図である。
【０００４】
図中符号５１は記録装置本体、５２はキャリッジ、５３は記録ヘッド、５４はフレキシブルケーブル、５４ａ、５４ｂはフレキシブルケーブルの屈曲部、５４ｃはフレキシブルケーブルの本体側端部、５５は補強フィルム、５５ａ、５５ｂは補強フイルムの屈曲部、５６は副走査紙送り機構、５７はケーブル押さえ部材、５８は記録装置のシャーシ、５９は記録装置の外装を示している。
【０００５】
記録装置本体５１側の電装系は、シャーシ５８の後ろに配置されここでは見えない。記録装置本体５１側の電装系からシャーシ５８の手前側に出てきたフレキシブルケーブル５４は、ケーブル押さえ５７によりシャーシ５８の表面に一部を固定されている。そしてフレキシブルケーブル５４の反対の端部は、キャリッジ５２に固定されている。図６にキャリッジと、キャリッジ上の電装系と記録装置本体側の電装系とを電気的に繋ぐフレキシブルケーブルの構成が示されている。図７から図８は、図５、図６のＡ視方向から見たフレキシブルケーブル５４の動きを示した模式図である。図７は記録スタンバイ状態を示しており、フレキシブルケーブル５４は、５４ａ部で最小屈曲半径を持ち、その反力でシャーシ５８に押し当てられている。図５はこの状態の斜視図である。また図８は、記録媒体幅分反対の端部にキャリッジ５２が移動した状態を示している。この状態の構成を部分拡大した斜視図が、図６である。この場合、最小屈曲半径は５４ｂになり、その反力でフレキシブルケーブル５４は記録装置前方に大きく飛び出す。通常はこの範囲の繰り返しが、フレキシブルケーブル５４の運動範囲である。
【０００６】
キャリッジが移動する場合、反転の衝撃や弛み等によって、フレキシブルケーブル５４は、シャーシ５８やキャリッジ５２に衝突する。この衝突は一回一回は大したことではないが、数百万回も往復しなければならない最近の仕様では、無視できないよれや傷のダメージをフレキシブルケーブル５４に与える。その結果、フレキシブルケーブル５４には図９に示したように、５４ｂの位置によれや傷のダメージが残る。このダメージが大きい場合、たとえば傷であれば電気的断線を誘発し、たとえばよれであれば、シャーシ５８からの浮き上がりが大きくなりキャリッジ５２が移動してきた場合、フレキシブルケーブル５４の５４ｂ部を図１０に示すように引っかけてしまう。こうなるとフレキシブルケーブル５４は、記録装置内で暴れ、他の機構に絡まったり、キャリッジ５２を止めてしまうことが考えられる。傷の場合もフレキシブルケーブル５４とキャリッジ５２の間の摩擦抵抗が大きくなり、フレキシブルケーブル５４の５４ｂ部をめくりあげる。後はよれてしまった場合と同じである。
【０００７】
特にＦＦＣは、基本的に導線の束であるため、よれや癖がつきやすいくこの傾向は、顕著である。またＦＰＣも表面のカバーフィルムの厚みを厚くすれば解決しそうなものだが、実際は屈曲を繰り返すためフレキシブルケーブル自身が強いこしを持つ多層構造（張り合わせ構造）ゆえ、フィルム間の剥離現象が起こる。このためＦＰＣは、ある程度薄くこしの弱いものでなければならない。
【０００８】
この相反する問題の解決策として、フレキシブルケーブル表面に薄い補強フィルムをあてがい、一緒に屈曲させることで、そのよれや、傷を防止する構造がよく用いられている。
【０００９】
図１１にその構造を示す。図中符号５５は補強フィルムである。（実際は、フレキシブルケーブル５４と補強フィルム５５は、補強フィルム５５の反力でフレキシブルケーブル５４の表面に押し当てられているが、この図および後掲の図ではわかりやすくするためあえて接触させていない）
【００１０】
【発明が解決しようとする課題】
しかしながら最近、記録装置の使用頻度は高まる一方で、さらなる耐久性、つまり補強フィルムの厚みが必要になってきている。また印字範囲が広いものの需要が増大し、フレキシブルケーブル自身長いものが必要になり、その自重によるたわみを押さえるため強い反力、つまり補強フィルムのこしが必要になってきた。
【００１１】
しかし補強フィルムを単純に厚くこしの強いものにすると、屈曲状態での放置（特に高温放置）でクリープし、図１２の補強フィルム５５の５５ａ部にて不可逆性の曲げ変形を起こし、極端な場合その変形をほぼ保ったままキャリッジ５２と共に移動し、補強フィルム５５の５５ｂ部を凸形状に持ち上げようとする力が発生する。この補強フィルム５５の５５ａ部を変形させている力が、補強フィルム５５の５５ｂを変形させまいとする力より勝った場合、図１２に示すように補強フィルム５５の５５ｂ部をシャーシ５８より持ち上げてしまう。このような状態に補強フィルム５５およびフレキシブルケーブル５４がなったら、補強フィルム５５およびフレキシブルケーブル５４は記録装置内であばれ、他の機構に絡まったり、キャリッジ５２を止めてしまうことが考えられる。
【００１２】
本発明の目的は、最小屈曲部でのよれや傷のダメージを防止し、かつ不可逆性の曲げ変形を生じない補強フイルムを備えた電気的キャリッジ接続手段を提供することにある。
【００１３】
【課題を解決するための手段】
本発明の電気的キャリッジ接続手段は、
記録装置本体側の電装系と、搭載した記録ヘッドを記録媒体搬送方向に対し交差する方向に搬送するキャリッジ上の電装系とを電気的に接続する記録装置の電気的キャリッジ接続手段であって、電気的キャリッジ接続手段は、記録装置本体側の電装系とキャリッジ上の電装系とを電気的に接続するフレキシブルケーブルと、そのフレキシブルケーブルの表面に沿って配設されそのフレキシブルケーブルと共に屈曲しそのフレキシブルケーブルの張りを補助するように形成されたフレキシブルフラットケーブルカバーの形態の補強フイルムとで構成され、その補強フイルムはフレキシブルケーブルの長手方向に幅が変化しており、最小屈曲半径部の幅はその他の部分の幅よりも狭い。
【００１４】
最小屈曲半径部の幅とその他の部分の幅の間が連続的に変化していることが好ましく、最小屈曲半径部においてフレキシブルケーブルの幅よりも狭く、かつその他の部分の幅がフレキシブルケーブルの幅よりも広く、両部分の間が連続的に変化していることがより好ましい。
【００１５】
電源断状態のキャリッジ位置における補強フイルムの最小屈曲半径部の幅を狭くしてもよく、記録スタンバイ状態のキャリッジ位置における補強フイルムの最小屈曲半径部の幅を狭くしてもよく、記録ヘッド交換およびインクタンク交換位置のいずれかのキャリッジ位置における補強フイルムの最小屈曲半径部の幅を狭くしてもよい。
【００１６】
また、記録装置本体側に突起が設けられ、補強フイルムにはキャリッジが移動時に突起と係合してそのフイルムのそのキャリッジ進行方向前方の屈曲部の曲がりを防ぎ、キャリッジが更に移動してその屈曲部を通過した後に突起から離脱する係合部が設けられていてもよい。
【００１７】
さらに、補強フイルムが単層で構成され、材質がポリイミドやＰＢＴを含む難燃性材料であることが好ましい。
【００１８】
本発明の記録装置は、
電気的キャリッジ接続手段として上述の電気的キャリッジ接続手段を備える。
【００１９】
休止期間中にクリープを起こしやすい屈曲部の補強フイルムの幅を狭くしてあるので、仮にクリープが発生しても他の部分よりもこしが弱いので他の部分を持ち上げるようなことがない。
【００２０】
記録装置本体と補強フイルムとの間に、一時的な係止機構を設けることにより、補強フイルムに傷が発生しこしが弱くなった場合でも干渉のおそれのある位置で補強フイルムを保持できるので補強フイルムとキャリッジとの間のトラブルを防止できる。
【００２１】
補強フイルムを単層で難燃性の材料で構成することにより層間の剥離が防止でき、耐久性と難燃性が両立できる。
【００２２】
【本発明の実施の形態】
先ず本発明の第１の実施の形態の記録装置と補強フイルムを備えた電気的キャリッジ接続手段の構造を説明する。本発明の記録装置は記録媒体に文字や画像を形成する記録装置であり、記録媒体を副走査方向に移動させる記録媒体送り機構と、記録媒体に記録を行う記録ヘッドを主走査方向に往復走査させるためのキャリッジと、これらの制御機構と、これらを内装する記録装置本体とシャーシや外装から構成され、本発明の補強フイルムを備えた電気的キャリッジ接続手段を有する。記録媒体に文字や画像を形成する記録装置には種々の方式のものがあるが、従来より微小インク液滴を吐出させて記録を行うインクジェット記録装置が知られている。この装置は他の装置に比べ、高速記録が可能、カラー化が容易、普通紙はもちろんのこと布等に記録が可能、騒音が小さい、および記録の品質が良い等といった利点を有している。一般にインクジェット記録装置の記録ヘッドはインクを吐出する１から２０００個程度の数の吐出口を有している。このように記録媒体に記録を行う方法としてはインクジェット方式が最も知られているが、本発明の電気的キャリッジ接続手段はインクジェット記録装置に限らず走査用のキャリッジを有する記録装置には広く適用できる。
【００２３】
図１は本発明の第１の実施の形態の補強フイルムを備えた電気的キャリッジ接続手段の構造を説明するための記録装置の模式的部分斜視図であり、図２は本発明の第１の実施の形態の記録装置の記録スタンバイ状態の模式的部分上面図である。図中符号１１はキャリッジのガイドレール、１２はキャリッジ、１３は記録ヘッド、１４はフレキシブルケーブル、１４ａ、１４ｂはフレキシブルケーブルの屈曲部、１４ｃはフレキシブルケーブルの端部、１５は補強フィルム、１５ａ、１５ｂは補強フイルムの屈曲部、１７はフレキシブルケーブルをシャーシに固定するケーブル押え部材、１８は記録装置の構造材であるシャーシを示している。
【００２４】
これらの構成は従来例に記述したものと同様である。従来例と異なるのは、補強フィルム１５の記録スタンバイ状態での最小半径部である１５ａが、１５ｂ部に対し幅方向で厚みが変化していることである。この図上では補強フィルム１５およびフレキシブルケーブル１４はキャリッジ１２と分離して描かれているが、これは構成をわかりやすくしたもので実際は、補強フィルム１５およびフレキシブルケーブル１４はキャリッジ１２に電気的に接続されている（図１の矢印方向に接続）。
【００２５】
次に補強フィルムの作動状況を図２に示す。キャリッジ１２がスタンバイ状態で長期放置された場合、フレキシブルケーブル１４および補強フィルム１５には若干なりとクリープが発生し、形状変形をする。クリープしていない状況では、キャリッジ１２が左側に移動すると前期変形部は、屈曲半径を徐々に大きくしながらその場所を左側に移動させていく。
【００２６】
しかしクリープで変形した補強フィルムの屈曲部１５ａは、変形した形状を保持しようとする力が働くため、キャリッジ１２が移動する際の力Ｆｌを屈曲部１５ｂ部に伝える。この力は、１５ｂ部にＦ２となって伝わり、補強フイルム１５の反対端はケーブル押え部材１７によりシャーシ１８に保持されているため、反力Ｆ３を受ける。このＦ２，Ｆ３の力に屈曲部１５ｂの平面であろうとする力Ｆ４がまけると、補強フィルム１５の１５−ｂ部はシャーシ１８より前方に飛び出す。しかしこの補強フィルム１５は、図１に示すように１５ａ部の幅を細くすることで、クリープによる変形部の屈曲半径保持力が十分小さくなるようになっている。しかも１５ｂ部は逆にフレキシブルケーブル１４の幅に対して太く構成されているので、平面を保持しようとする力Ｆ４は大きくなる。つまり補強フィルム１５を電源断状態（放置状態）でもっとも屈曲半径が小さい部分のみ補強フィルム１５の幅を細くし、その他の部分を太くするように幅をフレキシブルケーブル１４の長さ方向に変化させることにより、補強フィルムを厚くしても長期保存でクリープによる変形を起こしにくく、その結果フレキの巻き込みをおさえ、耐久性を向上できる。
【００２７】
即ち最もクリープを発生しやすい屈曲半径部の補強フイルム１５の幅を狭くすることによってその他の部分のせり出しを防止することができ、フレキの巻き込みをおさえ、耐久性を向上できる。幅を狭くする屈曲半径部は構造と使用形態により記録スタンバイ状態や、記録ヘッドもしくはインクタンク交換状態のキャリッジ位置における屈曲半径部にしてもよい。また、この目的から狭い部分の幅をフレキシブルケーブルの幅より狭くし、その他をフレキシブルケーブルの幅よりも広くすることが好結果を得やすい。
【００２８】
次に本発明の  第２の実施の形態の補強フイルムを備えた電気的キャリッジ接続手段の構造を説明する。図３は本発明の第２の実施の形態の補強フイルムを備えた電気的キャリッジ接続手段の構造を説明するための記録装置の模式的部分斜視図であり、図４は本発明の第２の実施の形態の記録装置の記録スタンバイ状態の模式的部分上面図である。図中符号３１はキャリッジのガイドレール、３２はキャリッジ、３３は記録ヘッド、３４はフレキシブルケーブル、３４ａ、３４ｂはフレキシブルケーブルの屈曲部、３４ｃはフレキシブルケーブルの端部、３５は補強フィルム、３５ａ、３５ｂは補強フイルムの屈曲部、３５ｃはストッパ孔、３６はストッパピン、３７はフレキシブルケーブルをシャーシに固定するケーブル押え部材、３８は記録装置の構造材であるシャーシを示している。
【００２９】
第２の実施の形態の構成はほぼ第１の実施の形態と同様であり、異なるのは、補強フィルム３５の一部にストッパー穴３５ｃがあることと、シャーシ３８にストッパーピン３６が構成されていることである。
【００３０】
図４にその作用を示す。基本作用は第１の実施の形態と同じであるが、予期せぬ事故で、万が一フレキケーブル３４および補強フィルム３５がダメージをうけた場合のみ差がある。第１の実施の形態では、クリープ等で最小屈曲部が変形しても舞い込みを防ぐことが出来たが、ここで予期せぬダメージ（たとえば外部の人間がさわってしまったとか、修理時に癖を付けてしまった等）をフレキケーブル３４および補強フィルム３５が受けてＦ４の力が弱まった場合は、クリープ変形による反力に負けて、キャリッジに巻き込むことがあり得る。
【００３１】
この第２の実施の形態では、万が一フレキケーブル３４および補強フィルム３５の屈曲部３４ｂおよび３５ｂがダメージを受けた場合（たとえばここでは折り癖がついた場合）、キャリッジ３２が左側に移動するとダメージを受けた部分がまず曲がろうとし、屈曲部３５ｂはシャーシ３８から離れ前方に出てくる。すると補強フィルム３５は全体に左方向に引っ張られることとなり、ストッパ孔３５ｃも同様に左方向に移動する。ストッパ孔３５ｃが左側に移動すると、シャーシ３８に固定されたストッパピン３６にストッパ孔３５ｃの孔の内径右端が引っかかる。ここでストッパピン３６にストッパ孔３５ｃが引っかかる位置を、屈曲部３５ｂのシャーシ３８からの膨らみが、キャリッジ６０が補強フイルム３５の屈曲部３５ｂに衝突した際でもキャリッジ６０に巻き込まれずにＦ４の力を発生し、離れたシャーシ３８に押し戻すような膨らみに押さえられるように配置しておく。
【００３２】
フレキシブルケーブルの屈曲部３５ｂは、キャリッジ３２の衝突によってシャーシ３８方向にある程度戻され、その反作用でストッパ孔３５ｃは、ストッパピン３６に対して右方向にずれる。これでストッパー孔３５ｃは、ストッパーピン３６に対してフリーになる。この時には、キャリッジ６０は記録スタンバイ位置より左側に移動しているので、クリープによる変形部は、すでにシャーシ３８より離れており、曲げ半径も大きくなっている。つまりＦ４に抗する力は大幅に弱まっている。
【００３３】
第２の実施の形態によれば、上述したような作用により、万が一屈曲部３５ｂにダメージを受けた場合でもフレキシブルケーブル３４と補強フイルム３５がキャリッジ３２に巻き込まれることを防止できる。
【００３４】
またここではダメージを折り癖としたが、補強フィルム３５の表面に傷がついた場合や摩擦係数をあげるような汚れがついた場合も、キャリッジ３２が接触した際、摩擦抵抗が増大し、Ｆ２の力が増大することでＦ４の力が相対的に減少し、上記と同じ作用になり、この第２の実施の形態で同様の効果をあげることができる。
【００３５】
次に本発明の  第３の実施の形態の補強フイルムを備えた電気的キャリッジ接続手段の構造を説明する。上述してきた構成の電気的キャリッジ接続手段の補強フイルムを、ポリイミドやＰＢＴ等の単層で難燃性をもった材料で構成したものが、本実施の形態である。電気的キャリッジ接続手段は基本的にキャリッジの電装系と本体の電装系とを電気的に繋ぐという目的なので、発明者は補強フィルムには難燃性が必要と考えている。コストの安いＰＥＴフィルムのようなものも難燃性の材料ではあるのだが、消火性の材料を挟み込んだ多層構造である。このような多層構造の材料を厚い補強フィルムに使用した場合、接着力にもよるが層間の剥離をおこし、屈曲耐久性を著しく低下させることが、試験結果から分かっている。よってこの材料をポリイミドやＰＢＴ等の単層でも難燃性をもった材料で構成したことによって、耐久性と難燃性を両立することが可能になる。
【００３６】
【発明の効果】
以上、本発明によれば、記録装置本体に長手方向でその幅を変化させた補強フィルムをフレキシブルケーブルの表面にあてがいフレキシブルケーブルの取り付け部にて固定したキャリッジの電気的接続手段を設けたことにより、厚くこしの強い補強フィルムを長期保存後や劣悪環境下でもクリープやよれの変形による巻き込みや電気導体の断線などの弊害なく使用することが可能となり、その厚みゆえに限定されていた耐久性を従来よりも大幅に向上することができるという効果がある。
【００３７】
また、記録装置本体と補強フイルムとの間に、一時的な係止機構を設けることにより、補強フイルムに傷が発生しこしが弱くなった場合でも干渉のおそれのある位置で補強フイルムを保持できるので補強フイルムとキャリッジとの間のトラブルを防止できるという効果がある。
【００３８】
さらに、補強フイルムを単層で難燃性の材料で構成することにより層間の剥離が防止でき、耐久性と難燃性が両立できるという効果がある。
【図面の簡単な説明】
【図１】本発明の第１の実施の形態の補強フイルムを備えた電気的キャリッジ接続手段の構造を説明するための記録装置の模式的部分斜視図である。
【図２】本発明の第１の実施の形態の記録装置の記録スタンバイ状態の模式的部分上面図である。
【図３】本発明の第２の実施の形態の補強フイルムを備えた電気的キャリッジ接続手段の構造を説明するための記録装置の模式的部分斜視図である。
【図４】本発明の第２の実施の形態の記録装置の記録スタンバイ状態の模式的部分上面図である。
本発明の第１の実施例を説明する図面である。
【図５】従来例の記録装置の全体構成を示す斜視図である。
【図６】従来例の記録装置のキャリッジが記録媒体幅分反対の端部に移動した状態を示す部分斜視図である。
【図７】従来例の記録装置の記録スタンバイ状態の模式的部分上面図である。
【図８】従来例の記録装置のキャリッジが記録媒体幅分反対の端部に移動した状態を示す模式的部分上面図である。
【図９】従来例の記録装置の記録スタンバイ状態のフレキシブルケーブルの傷のダメージを示す模式的部分上面図である。
【図１０】従来例の記録装置のキャリッジ移動中のフレキシブルケーブルの傷のダメージを示す模式的部分上面図である。
【図１１】従来例の記録装置の補強フイルムを有するフレキシブルケーブルの記録スタンバイ状態を示す模式的部分上面図である。
【図１２】従来例の記録装置の補強フイルムを有するフレキシブルケーブルのキャリッジ移動中の状態を示す模式的部分上面図である。
【符号の説明】
１１、３１、５１    キャリッジのガイドレール
１２、３２、５２    キャリッジ
１３、３３、５３    記録ヘッド
１４、３４、５４    フレキシブルケーブル
１４ａ、１４ｂ、３４ａ、３４ｂ、５４ａ、５４ｂ    フレキシブルケーブルの屈曲部
１４ｃ、３４ｃ、５４ｃ    フレキシブルケーブルの端部
１５、３５、５５    補強フィルム
１５ａ、１５ｂ、３５ａ、３５ｂ、５５ａ、５５ｂ    補強フイルムの屈曲部
１７、３７、５７    ケーブル押え部材
１８、３８、５８    シャーシ
３５ｃ    ストッパ孔
３６    ストッパピン
５９    記録装置の外装
【図１】
0003618980.tif 000002
【図２】
0003618980.tif 000003
【図３】
0003618980.tif 000004
【図４】
0003618980.tif 000005
【図５】
0003618980.tif 000006
【図６】
0003618980.tif 000007
【図７】
0003618980.tif 000008
【図８】
0003618980.tif 000009
【図９】
0003618980.tif 000010
【図１０】
0003618980.tif 000011
【図１１】
0003618980.tif 000012
【図１２】
0003618980.tif 000013